(57)【要約】【課題】本発明の課題は、カルボキシメチルエチルセルロースの粘度低下を抑制しつつ、白色度が高いカルボキシメチルエチルセルロース又はその塩を得る製造方法を提供することにある。【解決手段】漂白されたカルボキシメチルエチルセルロース又はその塩の製造方法であって、カルボキシメチルエチルセルロース（Ａ）の塩と有機溶剤（Ｂ）と水とを含有するｐＨが９．００〜９．１０である混合液（Ｃ）と、過酸化水素とを混合する工程を有する製造方法。【選択図】なし【特許請求の範囲】
【請求項１】
漂白されたカルボキシメチルエチルセルロース又はその塩の製造方法であって、カルボキシメチルエチルセルロース（Ａ）の塩と有機溶剤（Ｂ）と水とを含有するｐＨが９．００〜９．１０である混合液（Ｃ）と、過酸化水素とを混合する工程を有する製造方法。
【請求項２】
前記混合液（Ｃ）と過酸化水素との混合時間が、３００〜１５００分である請求項１に記載の製造方法。
【発明の詳細な説明】
【技術分野】
【０００１】
本発明はカルボキシメチルエチルセルロース又はその塩の製造方法に関する。更に詳しくは、漂白されたカルボキシメチルエチルセルロース又はその塩の製造方法に関するものである。
【背景技術】
【０００２】
従来、カルボキシメチルエチルセルロース（以下、ＣＭＥＣと略記することがある）は、医薬品の分野において、腸溶性のフィルムコーティング基剤として、用いられている。
かかる用途において、ＣＭＥＣは、白色度が高いものが、医薬品添加物規格の観点から好まれる。
【０００３】
しかし、従来ＣＭＥＣは、カルボキシメチルセルロース（以下、ＣＭＣと略記することがある）が水酸基をエチルエーテル化して製造するが、製造されたＣＭＥＣは、ある程度の着色が生じる。これは、エチルエーテル化反応の際に用いる触媒（トリエチルアミン等）が原因物質と考えられる。よって、白色度が高いＣＭＥＣを製造するためには、漂白剤による漂白工程を実施する必要がある。
前記の漂白剤としては、取扱いが容易である過酸化水素を用いることができるが、過酸化水素によるセルロースの解重合も併発してしまうため（例えば、特許文献１参照）、漂白工程によりＣＭＥＣの粘度が変化してしまい、医薬品添加物規格等の特定の規格に適合させることが困難になるという問題がある。
【先行技術文献】
【特許文献】
【０００４】
【特許文献１】特開２０００−１１９３０３号公報
【発明の概要】
【発明が解決しようとする課題】
【０００５】
本発明の課題は、カルボキシメチルエチルセルロースの粘度低下を抑制しつつ、白色度が高いカルボキシメチルエチルセルロース又はその塩を得る製造方法を提供することにある。
【課題を解決するための手段】
【０００６】
本発明者らは、上記の課題を解決すべく鋭意検討した結果、本発明に到達した。
即ち本発明は、漂白されたカルボキシメチルエチルセルロース又はその塩の製造方法であって、カルボキシメチルエチルセルロース（Ａ）の塩と有機溶剤（Ｂ）と水とを含有するｐＨが９．００〜９．１０である混合液（Ｃ）と、過酸化水素とを混合する工程を有する製造方法である。
【発明の効果】
【０００７】
本発明の製造方法は、着色したカルボキシメチルエチルセルロースを用いて、粘度低下を抑制しつつ、白色度の高いカルボキシメチルエチルセルロースを製造できるという効果を有する。
【発明を実施するための形態】
【０００８】
本発明の製造方法は、漂白されたカルボキシメチルエチルセルロース又はその塩の製造方法であって、カルボキシメチルエチルセルロース（Ａ）の塩と有機溶剤（Ｂ）と水とを含有するｐＨが９．００〜９．１０である混合液（Ｃ）と、過酸化水素とを混合する工程（以下、混合工程と略記する）を有する。
なお、本発明における漂白されたカルボキシメチルエチルセルロースとは、ハーゼン単位色数が３００以下であるカルボキシメチルエチルセルロースであることが好ましく、２５０以下であることが更に好ましく、２００以下であることが特に好ましい。
本発明において、ハーゼン単位色数は、乾燥させたカルボキシメチルエチルセルロース又はその塩１０部と、メタノール及びジクロロメタンの混合溶液［重量比１：１］９０部とを混合した溶液を試料として、ＪＩＳ  Ｋ４１０１に準拠して測定することができる。
【０００９】
カルボキシメチルエチルセルロース（Ａ）の塩は、一般式（１）で表されるセルロースであることが好ましい。
【００１０】
【化１】
2018168289.tif 000002
【００１１】
一般式（１）において、Ａは、Ｃ６Ｈ７Ｏ２で表される無水グルコース単位骨格である。
一般式（１）において、Ｍは、アルカリ金属塩であり、好ましいものとしてはナトリウムが挙げられる。
【００１２】
一般式（１）において、ａ及びｂは正数であり、かつ０＜ａ＋ｂ≦３の関係を満たす。
ｍ個あるａの平均値は、製造の結果得られるＣＭＥＣの白色度及び粘度の観点から、２．０〜２．４であることが好ましい。
ｍ個あるｂの平均値は、製造の結果得られるＣＭＥＣの白色度及び粘度の観点から、０．４５〜０．５５であることが好ましい。
一般式（１）において、ｍは、１５０≦ｍ≦３５０を満たす正数であることが好ましい。
【００１３】
カルボキシメチルエチルセルロース（Ａ）の塩は、１種を単独で用いても、２種以上を併用してもよい。
【００１４】
本発明におけるＣＭＥＣ（Ａ）の塩は、カルボキシメチルセルロース（以下ＣＭＣと略記する）の塩を、エチルクロライドでエチルエーテル化する方法等で製造することができる。
ＣＭＣの塩は、セロゲンＰＬ−１５［ＣＭＣのナトリウム塩、第一工業製薬（株）製］等として市場から入手することができる。
上記のエチルエーテル化反応は、公知の方法（特開平０５−０１７５０１号公報及び特開平０６−００９７０１号公報等に記載の方法）を用いることができる。
【００１５】
ＣＭＥＣの塩の製造に用いるＣＭＣの塩は、取り扱いやすさの観点から、苛性アルカリ（水酸化ナトリウム等）により、解重合により低分子化させたものを用いることが好ましい。
上記の解重合反応は、例えば、ＣＭＣの塩の水溶液に水酸化ナトリウムを添加し、１００〜１２０℃で加熱することで実施することができる。
【００１６】
本発明において、有機溶剤（Ｂ）としては、アルコール系溶剤（イソプロピルアルコール、２−ブタノール、３−ブタノール、ｔｅｒｔ−ブチルアルコール及びジエチレングリコールモノメチルエーテル等）、エーテル系溶剤（エチレングリコールジメチルエーテル、ジエチレングリコールジメチルエーテル、ジエチルエーテル、ジオキサン及びテトラヒドロフラン等）、ケトン系溶剤（アセトン、メチルエチルケトン、メチルイソブチルケトン、ジ−ｎ−ブチルケトン及びシクロヘキサノン等）、芳香族炭化水素系溶剤（トルエン、キシレン、エチルベンゼン及びテトラリン等）、脂肪族炭化水素系溶剤（ｎ−ペンタン、ｎ−ヘキサン、ｎ−へプタン及びシクロヘキサン等）、ハロゲン系溶剤（塩化メチル、臭化メチル、ヨウ化メチル、メチレンジクロライド、四塩化炭素、トリクロロエチレン及びパークロロエチレン等）、エステル系溶剤（酢酸エチル、酢酸ブチル、メトキシブチルアセテート、メチルセロソルブアセテート及びエチルセロソルブアセテート等）、アミド系溶剤（ジメチルホルムアミド及びジメチルアセトアミド等）、スルホキシド系溶剤（ジメチルスルホキシド等）及び複素環式化合物系溶剤（Ｎ−メチルピロリドン等）等が挙げられる。
有機溶剤（Ｂ）は、１種を単独で用いても、２種以上を併用してもよい。
これらの有機溶剤の内、製造の結果得られるＣＭＥＣの白色度及び粘度の観点から好ましいのは、アルコール系溶剤であり、更に好ましいのはｔｅｒｔ−ブチルアルコールである。
【００１７】
混合液（Ｃ）が含有するＣＭＥＣ（Ａ）の塩の重量割合は、製造の結果得られるＣＭＥＣの白色度及び粘度の観点から、前記の混合液（Ｃ）の重量を基準として、１〜３０重量％であることが好ましく、更に好ましくは２〜２０重量％であり、特に好ましくは５〜１５重量％である。
混合液（Ｃ）が含有する前記の有機溶剤（Ｂ）の重量割合は、製造の結果得られるＣＭＥＣの白色度及び粘度の観点から、前記の混合液（Ｃ）の重量を基準として、１〜５０重量％であることが好ましく、更に好ましくは５〜３０重量％であり、特に好ましいのは１０〜２０重量％である。
【００１８】
本発明において、前記の混合工程に用いる混合液（Ｃ）のｐＨは、上述の通り、９．００〜９．１０である。ｐＨ９．００未満であれば、製造の結果得られるＣＭＥＣのハーゼン単位色数が十分でなく、ｐＨ９．１０を超えると、製造の結果得られるＣＭＥＣのハーゼン単位色数が十分でない上に、粘度が大幅に低下してしまう。
また、製造の結果得られるＣＭＥＣの白色度及び粘度の観点から、前記の混合液（Ｃ）のｐＨは、９．０２〜９．０８であることが好ましい。
混合液（Ｃ）のｐＨは、公知の酸（酢酸及び硫酸等）及び／又は塩基（水酸化ナトリウム等）を用いることで調整することができる。
【００１９】
前記の混合工程において、過酸化水素は過酸化水素水として投入することが好ましい。
【００２０】
前記の混合工程における、過酸化水素水の濃度は、製造の結果得られるＣＭＥＣの白色度及び粘度の観点から、１〜４０重量％であることが好ましく、更に好ましくは３０〜３８重量％である。
【００２１】
前記の混合工程で用いる過酸化水素の投入重量は、製造の結果得られるＣＭＥＣの白色度及び粘度の観点から、ＣＭＥＣ（Ａ）の塩の重量を基準として、５〜２０重量％であることが好ましい。
【００２２】
前記の混合工程において、前記の混合液（Ｃ）と過酸化水素との混合時間は、製造の結果得られるＣＭＥＣの白色度及び粘度の観点から、３００〜１５００分であることが好ましく、更に好ましくは、３６０〜１３００分である。
なお、本願において、前記の混合時間は、混合液（Ｃ）に過酸化水素を投入した時を、開始時間とする。
また、前記の混合工程は、混合液（Ｃ）を撹拌しながら、過酸化水素を投入することが好ましく、過酸化水素の投入開始から投入終了までの時間が、前記の好ましい混合時間の範囲内であることが更に好ましい。
また、前記の混合工程は、後述の過酸化水素分解工程を開始することで、終了［混合液（Ｃ）と過酸化水素との混合の終了］することが好ましい。
【００２３】
前記の混合工程において、前記の混合液（Ｃ）と過酸化水素の混合物の温度は、４０〜８０℃であることが好ましく、５５〜６５℃であることが更に好ましく、５７〜６２℃であることが特に好ましい。
温度が４０℃以上であると過酸化水素の酸化効果が高まる観点から好ましく、温度が８０℃以下であると、過酸化水素の自己分解を抑制できる観点から好ましい。
【００２４】
前記の混合工程を実施することで、漂白されたＣＭＥＣの塩を含有する混合液を製造することができる。
本発明の製造方法において、漂白されたＣＭＥＣを製造する場合は、ＣＭＥＣの塩を酸型であるＣＭＥＣ（以下単にＣＭＥＣと表記することがある）にする酸性化工程を実施する必要がある。
【００２５】
酸性化工程は、前記の混合工程で得た、ＣＭＥＣの塩を含有する混合液を、公知の酸（硫酸及びリン酸等）で酸性（ｐＨが２．５〜３．０であることが好ましい）にする工程である。酸性化工程を実施することで、漂白されたＣＭＥＣを含有する混合液を製造することができる。
【００２６】
本発明の製造方法は、前記の混合工程及び酸性化工程以外に、過酸化水素分解工程、水洗工程、脱溶剤工程を有していてもよい。
【００２７】
前記の過酸化水素分解工程は、前記の混合工程で得た混合物に、亜硫酸ナトリウム等を投入し、前記混合工程で用いた過酸化水素を分解する工程である。
亜硫酸ナトリウムの投入重量の割合は、製造の結果得られるＣＭＥＣの白色度及び粘度の観点から、投入した過酸化水素の重量を基準として、１０〜５０重量％であることが好ましい。
前記の過酸化水素分解工程は、混合工程実施直後、他の工程実施前に、実施することが好ましい。
【００２８】
前記の水洗工程は、ＣＭＥＣ及び／又はその塩の混合液から、塩類等の不純物を除去する工程である。
水洗工程は、例えば、前記の混合工程で得た、漂白されたＣＭＥＣの塩を含有する混合液のｐＨを２．５〜３．０とすることで、ＣＭＥＣの塩を、酸型のＣＭＥＣとし、更に、目的物である酸型のＣＭＥＣを含有する有機溶剤相と、不純物である塩類等を含有する水相に分離させ、その後、水相を除去することで実施できる。
ｐＨは、公知の酸（酢酸及び硫酸等）及び／又は塩基（水酸化ナトリウム等）を用いることで調整することができる。
また、必要に応じて、再度水を投入し、撹拌した後に、再度水相を除去する操作を繰り返してもよい。
上記の水洗工程後に得られるのは、酸型のＣＭＥＣを含有する有機溶剤相であり、水洗工程後の酸型のＣＭＥＣを含有する有機溶剤相に、公知の塩基（水酸化ナトリウム等）及び水を投入し、ＣＭＥＣの塩に戻すことができる。
【００２９】
上記の方法による水洗工程は、混合工程実施後、酸性化工程実施前に、実施することができる。
酸性化工程後に水洗工程を実施する場合には、前記の酸性化工程で酸型のＣＭＥＣを含有する混合液とした後に、水を投入、撹拌し、水相を除去することで実施できる。
【００３０】
前記の脱溶剤工程は、前記の混合工程で得た混合物から溶剤を除去する工程である。
溶剤を除去する手段としては、減圧乾燥等公知の手段が挙げられる。
脱溶剤工程において、溶剤を完全に除去した場合は、漂白されたＣＭＥＣ又はその塩の粉末を得ることができる。
脱溶剤工程において、全ての溶剤を完全に除去する場合は、他の工程をあらかじめ実施した後に、最後に実施することが好ましい。
【００３１】
本発明の製造方法により製造したＣＭＥＣ又はその塩は、白色度が高いため、ゼリー食品、化粧品、医薬品、飼料等の添加剤として使用される。また、本発明の製造方法は、ＣＭＥＣの粘度低下を抑制できるため、特に医薬品に用いる腸溶性のフィルムコーティング基剤等の医薬品添加物規格の観点から特定の白色度及び粘度が求められる用途において、特に有用である。
【実施例】
【００３２】
以下本発明を実施例により具体的に説明するが、本発明はこれらの実施例に限定されるものではない。
尚、以下において部は重量部を表す。
【００３３】
＜製造例１：未漂白のＣＭＥＣの製造＞
反応容器に、ＣＭＣのナトリウム塩［セロゲンＰＬ−１５、第一工業製薬（株）製］４２３．５部、ｔｅｒｔ−ブチルアルコール７５０．０部、水３０．０部、水酸化ナトリウム１８３．０部及びトリエチルアミン１７．０部を投入し、１１０℃で１３時間撹拌して解重合反応を行った。
その後、エチルクロライド２９５．０部を投入し、１１０℃で１３時間反応させた。
その後、４８重量％水酸化ナトリウム水溶液を７６０．０部投入し、更にエチルクロライド６２１．０部を投入し、１１０℃で９時間反応させた。
次に、水２３００．０部と６２重量％硫酸水溶液２０．０部とを投入し、中和することで、ＣＭＥＣのナトリウム塩（Ａ−１）を含有する混合液（Ｃ−１）を得た。
（Ａ−１）は、一般式（１）において、Ｍがナトリウムであり、ａの平均値が２．２であり、ｂの平均値が０．４５であるＣＭＥＣのナトリウム塩であった。
【００３４】
＜実施例１〜４及び比較例１〜４：ＣＭＥＣの漂白＞
製造例１で得た混合液（Ｃ−１）に、６２重量％硫酸水溶液及び／又は３０重量％水酸化ナトリウム水溶液を投入することで（投入する６２重量％硫酸水溶液及び３０重量％水酸化ナトリウム水溶液の合計重量を５００部以下とする）、ｐＨが表１記載の値となるように調整した。なお、前記のｐＨ調整は混合液の温度を６０±３℃に保って実施した。
その後、混合液の温度を６０±３℃に保ったまま撹拌しつつ、３５重量％過酸化水素水１２０．０部を表１記載の時間をかけて投入した。
その後、水１５１０．０部と無水亜硫酸ナトリウム１４．０部とを投入し、６０℃で３０分撹拌することで、過酸化水素を分解させた。
次に、水２７１２．０部と６２重量％硫酸水溶液２６５．３部とを投入することで、ＣＭＥＣのナトリウム塩を酸型のＣＭＥＣに変換した。
続いて、水１０００．０部を投入し、３０分撹拌後に、分液した水相を除去する操作を３回繰り返した。
その後、減圧乾燥することで、ｔｅｒｔ−ブチルアルコールを除去し、ＣＭＥＣの粉末を得た。
【００３５】
実施例１〜４で得たＣＭＥＣの粉末、及び、比較例１〜４で得た比較用のＣＭＥＣの粉末について、以下の方法で、白色度及び粘度を評価した。結果を表１に示す。
【００３６】
＜白色度の評価＞
ＣＭＥＣの粉末１０部と、メタノール及びジクロロメタンの混合溶液［重量比１：１］９０部とを混合した溶液を試料として、ＪＩＳ  Ｋ４１０１に準拠して、ハーゼン単位色数を測定した。
ハーゼン単位色数の値が小さい程、白色度が高く、ＣＭＥＣとして品質が高いことを示す。
【００３７】
＜粘度の評価＞
ＣＭＥＣの粉末１０部と、メタノール及びジクロロメタンの混合溶液［重量比１：１］９０部とを混合した溶液を試料として、ウベローデ型粘度計を用いて、２０±０．１℃の条件での粘度を測定した。
【００３８】
【表１】
2018168289.tif 000003
【産業上の利用可能性】
【００３９】
本発明の製造方法により製造したＣＭＥＣは、白色度が高いため、ゼリー食品、化粧品、医薬品、飼料等の添加剤として使用される。また、本発明の製造方法は、ＣＭＥＣの粘度低下を抑制できるため、特に医薬品に用いる腸溶性のフィルムコーティング基剤等の医薬品添加物規格の観点から特定の白色度及び粘度が求められる用途において、特に有用である。